【事件の表示】
　特願２００６−　７９４３５「画像読取装置及びその画像読取ユニット」拒絶査定不服審判事件〔平成１９年１０月　４日出願公開、特開２００７−２５８９６０〕について、次のとおり審決する。
【結　論】
　本件審判の請求は、成り立たない。
【理　由】
第１．手続の経緯
　本願は、平成１８年３月２２日の出願であって、平成２４年１月２５日付けで拒絶査定がなされ、これを不服として、平成２４年４月２７日に審判請求がなされると同時に、同日付けで手続補正がなされたものである。
　その後、当審により、平成２５年２月２８日付けで拒絶理由が通知され、平成２５年４月２４日付けで手続補正がなされ、さらに、平成２５年５月９日付けで最後の拒絶理由が通知され、平成２５年７月１６日付けで手続補正がなされた。
　
第２．平成２５年７月１６日付けの手続補正についての補正却下の決定
［補正却下の決定の結論］
　　平成２５年７月１６日付けの手続補正を却下する。
［理由］
１．補正の内容
　この手続補正により補正された特許請求の範囲の請求項１は、補正前の請求項１の発明特定事項である「移動機構」を、「前記移動機構は、前記読取センサを副走査方向に回動させるための支軸に対して前記駆動手段の動力を伝達する手段、または、前記読取センサを副走査方向に直進移動させるための直進カムに対して前記駆動手段の動力を伝達する手段である」と限定したものである。
　
２．補正の適否
（１）限定的減縮
　この補正は、補正前の請求項１の発明特定事項を限定したものであるから、平成１８年法律第５５号改正附則第３条第１項によりなお従前の例によるとされる同法による改正前の特許法（以下、「平成１８年改正前特許法」という）第１７条の２第４項第２号に規定された特許請求の範囲の減縮を目的とするものである。
　そこで、補正後の請求項１に係る発明（以下、「本願補正発明」という）が平成１８年改正前特許法第１７条の２第５項において準用する同法第１２６条第５項に規定された特許出願の際独立して特許を受けることができるものであるか否かについて以下に検討する。
　
（２）独立特許要件
ア．本願補正発明
　本願補正発明は、上記補正後の請求項１に記載された以下のとおりのものである。
　
「原稿に形成された画像を読取る画像読取装置において、
　搬送される原稿の表面画像を読取る表面画像読取ユニットと、搬送される原稿の裏面画像を読取る裏面画像読取ユニットとが装置本体に対して原稿の搬送方向に移動しないように固定され、
　前記表面画像読取ユニット及び前記裏面画像読取ユニットは、
　開口部を有する筐体と、センサ対向位置にある画像を主走査方向に読取るための照明手段及びレンズを含む読取センサと、原稿読取位置に前記原稿をガイドするコンタクトガラスと、前記原稿読取位置とは異なる位置に設置される色基準部材と、前記筐体の内部で前記読取センサを移動させて前記センサ対向位置を前記原稿読取位置と前記色基準部材上のシェーディング補正データ取得位置との間で副走査方向に往復移動させる移動機構と、前記移動機構を駆動させる駆動手段とを備え、
　前記筐体の前記開口部の位置には、前記コンタクトガラスが固定され、
　前記筐体の内部には、前記読取センサ、前記移動機構及び前記駆動手段がそれぞれ設置され、
　前記移動機構は、前記読取センサを副走査方向に回動させるための支軸に対して前記駆動手段の動力を伝達する手段、または、前記読取センサを副走査方向に直進移動させるための直進カムに対して前記駆動手段の動力を伝達する手段であることを特徴とする画像読取装置。」
　
　本願補正発明において、「前記移動機構は、前記読取センサを副走査方向に回動させるための支軸に対して前記駆動手段の動力を伝達する手段、または、前記読取センサを副走査方向に直進移動させるための直進カムに対して前記駆動手段の動力を伝達する手段である」との発明特定事項は、「または」で結ばれた２つの手段からいずれか一方を選択する択一的な事項となっているから、本願補正発明は、これらの２つの手段のうちの１つを選択した次の発明（以下、「本願補正発明１」という）を含むものである。
　
「原稿に形成された画像を読取る画像読取装置において、
　搬送される原稿の表面画像を読取る表面画像読取ユニットと、搬送される原稿の裏面画像を読取る裏面画像読取ユニットとが装置本体に対して原稿の搬送方向に移動しないように固定され、
　前記表面画像読取ユニット及び前記裏面画像読取ユニットは、
　開口部を有する筐体と、センサ対向位置にある画像を主走査方向に読取るための照明手段及びレンズを含む読取センサと、原稿読取位置に前記原稿をガイドするコンタクトガラスと、前記原稿読取位置とは異なる位置に設置される色基準部材と、前記筐体の内部で前記読取センサを移動させて前記センサ対向位置を前記原稿読取位置と前記色基準部材上のシェーディング補正データ取得位置との間で副走査方向に往復移動させる移動機構と、前記移動機構を駆動させる駆動手段とを備え、
　前記筐体の前記開口部の位置には、前記コンタクトガラスが固定され、
　前記筐体の内部には、前記読取センサ、前記移動機構及び前記駆動手段がそれぞれ設置され、
　前記移動機構は、前記読取センサを副走査方向に直進移動させるための直進カムに対して前記駆動手段の動力を伝達する手段であることを特徴とする画像読取装置。」
　
イ．刊行物の記載事項
（ア）刊行物１の記載事項
　平成２５年５月９日付けで通知された拒絶の理由で引用された本願の出願の日前に頒布された刊行物である特開２００４−３６４１８０号公報（以下、「刊行物１」という）には、次の事項が記載されている。
　
「【０００４】
【課題を解決するための手段】
上記目的を達成するために、請求項１記載の発明は、筐体内に、光源と結像レンズと光電変換素子とシェーディング補正用の白基準板とを配置し、コンタクトガラス上の読み取り位置の原稿を光源によって照明し、結像レンズを介して光電変換素子にて原稿の画像を読み取るイメージセンサにおいて、白基準板は、有効画像領域幅以上の長さを有し、原稿読み取り位置へ可動するイメージセンサを最も主要な特徴とする。
請求項２記載の発明は、請求項１記載のイメージセンサにおいて、白基準板を読み込んだデータを基にシェーディング補正を行う機能を有するイメージセンサを主要な特徴とする。
請求項３記載の発明は、請求項１記載のイメージセンサにおいて、白基準板がコンタクトガラスと一体であるイメージセンサを主要な特徴とする。
【０００５】
【発明の実施の形態】
以下、本発明の実施の形態を図面に従って説明する。従来例と同一個所には同一符号を付す。
図１は本発明の実施の形態に係るイメージセンサにおいてコンタクトガラスがホームポジションにあるときの構成図、図２は本発明の実施の形態に係るイメージセンサにおいてコンタクトガラスが移動したときの構成図、図３は本発明の実施の形態に係るイメージセンサの上面図、図４は本発明の実施の形態に係るイメージセンサの側面図である。
光源３によって照射されたコンタクトガラス１上の原稿位置（焦点位置）８における画像を、結像レンズ４を介して、センサ基板５上の光電変換素子６に結像し、電気信号へと変換する。コンタクトガラス１上には白基準板２が固定されており、コンタクトガラス１はイメージセンサ筐体７の上部に設けたスライドレール９に沿って可動（進退移動）する構造となっている。またセンサ基板５にはシェーディング補正機能、γ補正機能が搭載されている。スライドレールは、例えば筐体の天板９ａの直下位置に所定のギャップを隔てて板材９ｂを固定した構成を有する。
図２はコンタクトガラス１がスライドレール９に沿って移動し、原稿読み取り状態にあることを示している。図３はコンタクトガラス１の上面から見た図であるが、白基準板２が有効画像領域幅１０以上であることを示している。図４はコンタクトガラス１のスライドレール９が原稿領域外にあり、原稿読み取り時に影響を及ぼすことがないことを示している。
【０００６】
次にその動作を説明する。イメージセンサは原稿読み取り前、もしくはコマンドによる補正要求時において以下の動作を行う。
まず光源３を消灯し、光電変換素子６により白基準板２を読み取る。次に光源３を原稿読み取り時の光量に設定し、白基準板２を読み取る。最後に光量または点灯時間を半分に設定し、白基準板２を読み取る。
これらの３つの読み取りデータを元にセンサ基板５においてシェーディング補正係数およびγ補正係数を決定する。原稿読み取り時においては上記動作において決定されたシェーディング補正係数およびγ補正係数を用いて原稿読み取りデータに補正をかけ、外部へと出力する。
これによってイメージセンサからの出力は一つ一つの光電変換素子６による感度のバラツキがなく、また濃度に対するリニアリティ性に優れたデータとなる。またγ補正を原稿読み取り直前に行うことにより、温度などによるリニアリティの変動の影響を受けない出力データを得ることが可能である。
本発明のイメージセンサは、また光源３の光の強さ、点灯時間が可変である。また白基準板２と平行に中間色（グレーなど）の複数枚の基準板を備えることもできる。このようにするとγ補正に必要な中間色における出力データを得ることにより、温度などによるリニアリティの変動を常時補正することが可能となり、本イメージセンサを搭載した画像形成装置において良好な画像を得ることができる。また中間色の基準板を複数枚搭載するとγ補正の精度が向上する。
また筐体７内部に白基準板２の電気的な可動機構を設けると、外部回路からの信号入力のみで制御可能となり、コストダウンにつながる。
またγ補正（リニアリティ補正）を行う機能を有する。このようにするとイメージセンサ自体で自己補正を行い、原稿濃度に対してリニアラティの保証された出力が得られるようになる。これにより外部にγ補正回路が必要なくなり、コストダウンにつながる。」
　
「【図１】
」
　
「【図２】
」
　
（イ）刊行物１発明
　刊行物１に記載されたイメージセンサの筐体は、【図１】によれば、開口部を有するものである。
　刊行物１に記載されたイメージセンサは、【０００４】の記載によれば、筐体内に、光源と結像レンズと光電変換素子とシェーディング補正用の白基準板とを配置し、コンタクトガラス上の読み取り位置の原稿を光源によって照明し、結像レンズを介して光電変換素子にて原稿の画像を読み取るイメージセンサにおいて、白基準板は、有効画像領域幅以上の長さを有し、原稿読み取り位置へ可動し、白基準板を読み込んだデータを基にシェーディング補正を行う機能を有し、白基準板がコンタクトガラスと一体であるイメージセンサである。
　刊行物１に記載されたイメージセンサは、【０００５】の記載によれば、【図１】のようにコンタクトガラスがホームポジションにあるとき、光源３によって照射されたコンタクトガラス１上の原稿位置（焦点位置）８における白基準板の画像を、結像レンズ４を介して、センサ基板５上の光電変換素子６に結像し、電気信号へと変換する。【図２】のように、コンタクトガラスが移動したときには、原稿読み取り状態となる。
　刊行物１に記載されたイメージセンサは、【０００６】の記載によれば、筐体７内部に白基準板２の電気的な可動機構を設けると、外部回路からの信号入力のみで制御可能となる。
　以上をまとめると、刊行物１には、次のイメージセンサの発明（以下、「刊行物１発明」という）が記載されていると認められる。
　
　開口部を有する筐体内に、光源と結像レンズと光電変換素子とシェーディング補正用の白基準板とを配置し、コンタクトガラス上の読み取り位置の原稿を光源によって照明し、結像レンズを介して光電変換素子にて原稿の画像を読み取るイメージセンサにおいて、白基準板は、有効画像領域幅以上の長さを有し、原稿読み取り位置へ可動し、白基準板を読み込んだデータを基にシェーディング補正を行う機能を有し、白基準板がコンタクトガラスと一体であるイメージセンサであって、
　コンタクトガラスがホームポジションにあるとき（図１）、光源によって照射されたコンタクトガラス上の原稿位置（焦点位置）における白基準板の画像を、結像レンズを介して、センサ基板上の光電変換素子に結像し、電気信号へと変換し、
　コンタクトガラスがスライドレールに沿って移動すると、原稿読み取り状態となり（図２）、
　筐体内部に白基準板の電気的な可動機構を設け、外部回路からの信号入力のみで制御可能とした、イメージセンサ。
　
（ウ）刊行物２の記載事項
　平成２５年５月９日付けで通知された拒絶の理由で引用された本願の出願の日前に頒布された刊行物である特開２００５−１２９９８６号公報（以下、「刊行物２」という）には、次の事項が記載されている。
　
「【００７１】
  そのようにしてＡＤＦユニット部１０５ｂは、フラットベッドユニット部１０５ａにおける表面（第１面）読み取りのための自動原稿送り装置としても動作するが、自身が第２の読取光学系を備えれば、自身の原稿搬送副走査機能を利用して、原稿の裏面（第２面）を読み取ることができる。
【００７２】
  そのための構成が、光学読取ユニット１６ａであり、そのユニット１６ａ第２ランプ１６、第２レンズ１７、及び、第２ＣＣＤ１８を備えている。また、ユニット１６ａは、図示しないガイド部材により、矢印Ｃ、Ｄ方向に一定幅の移動が可能に案内される構成である。その移動方向Ｃ、Ｄは、原稿搬送副走査経路１の押し当てローラ８及び台に原稿ガラス９により挟持される位置における接線、つまりは、第２原稿ガラス９の傾きと平行な方向である。その第２原稿ガラス９は、水平方向に対して傾いて配置されており、その裏面（ユニット１６ａに面する側の面）上に置かれた物体には、その質量と重力との相互作用により斜面を伝って落下しようとする力が働く。
【００７３】
  また、キャリッジ１６ａには、電磁ソレノイド５０が接続され、その電磁ソレノイド５０がＯＮになるとその吸引力により、キャリッジ１６ａは、Ｄ方向に一定距離移動して、図５に示す、原稿読取位置に在る状態となる。
【００７４】
  その状態で、原稿搬送副走査経路１に沿って副走査方向Ｂに原稿が副走査されると共に、第２ランプ１６が点灯され、その第２ランプ１６から放射された光の一部が第２原稿ガラス６の上面部（を搬送副走査されている原稿）により反射され、第２レンズ１７を介して第２ＣＣＤ１８を構成する、主走査方向に多数配設された受光素子（画素に対応）に入射する。それにより、１主走査ライン単位の画像データの副走査方向の積み重ねとして、裏面（第２面）の原稿画像データが得られることになる。
【００７５】
  電磁ソレノイド５０がＯＦＦになると、キャリッジ１６ａは、水平方向に対して斜め（方向Ｃ、Ｄ）に配置されているため、その質量と矢印Ｃ方向に働く、重力の分力との作用により、矢印Ｃ方向に一定幅移動して、図６に示す状態となる。なお、光学読取ユニット１６ａを矢印Ｃの方向に復元力が働くように、電磁ソレノイド５０によるＤ方向への吸引を妨げない程度の強さのバネで付勢して、光学読取ユニット１６ａのＣ、Ｄ方向にガタつきを確実になくすように構成してもよい。
【００７６】
  その矢印Ｃ方向に移動した位置では、光学読取ユニット１６ａは、第２原稿ガラス９の裏面（ユニット１６ａに面する側）に配設した第２白基準部材２０が読み取られる。第２白基準部材２０は、少なくとも表面（第２読取光学系としての光学読取ユニット１６ａにより読み取られる面）が主走査方向の読み取り範囲全体に渡って均一な白色である部材である。
【００７７】
  また、第２白基準部材２０の表面には、ガラス部材２１が密着配置されている。それにより、第２白基準部材２０の均一な白色の表面は、常に清浄に保たれる。更に、ガラス部材２１の表面は、水平方向に対して斜めに配置されるため、その上に置かれた物体には、その質量と重力との相互作用により斜面を伝って落下しようとする力が働く。そのため、ガラス部材２１上に付着したちりや埃は、重力により落下して除去されやすくなり、光学読取ユニット１６ａから見た場合の第２白基準部材２０の白さ及びその白さの均一さを保つことが可能となる。また、第２白基準部材２０及びその表面に配置されたガラス部材２１は、原稿搬送副走査経路１から隔離された第２原稿ガラス２の裏面に位置するため、搬送副走査される原稿（材質が紙である場合が多い）から発生する紙粉やローラの摩擦かすが付着しにくく、その表面の白さ及びその白さの均一さをいっそう保ことが可能となる。」
「【図５】
」
「【図６】
」
　
ウ．本願補正発明１と刊行物１発明との対比
（ア）「画像読取装置」
　本願補正発明１は、「原稿に形成された画像を読取る画像読取装置において、搬送される原稿の表面画像を読取る表面画像読取ユニットと、搬送される原稿の裏面画像を読取る裏面画像読取ユニットとが装置本体に対して原稿の搬送方向に移動しないように固定され、前記表面画像読取ユニット及び前記裏面画像読取ユニットは、・・・である画像読取装置」であるのに対し、刊行物１発明は、イメージセンサ（本願補正発明１でいう「画像読取ユニット」）のみの発明である点で両者は相違する。
　
（イ）「開口部を有する筐体」
　本願補正発明１と刊行物１発明は、「開口部を有する筐体」を備える点で一致する。
　
（ウ）「センサ対向位置にある画像を主走査方向に読取るための照明手段及びレンズを含む読取センサ」
　刊行物１発明における、光源と結像レンズと光電変換素子は、光源によって照射されたコンタクトガラス上の原稿位置（焦点位置）における画像を読み取るためのものであり、この焦点位置は「センサ対向位置」といえ、光源は「照明手段」といえる。
　また、光源と結像レンズと光電変換素子は、複数の光電変換素子を走査することにより画像を読み取る「読取センサ」といえるものであり、その走査の方向は「主走査方向」といえる。
　したがって、本願補正発明１と刊行物１発明とは、「センサ対向位置にある画像を主走査方向に読取るための照明手段及びレンズを含む読取センサ」を備える点で一致する。
　
（エ）「原稿読取位置に前記原稿をガイドするコンタクトガラス」
　刊行物１発明のコンタクトガラスは、本願補正発明１のコンタクトガラスに相当するものであるが、本願補正発明１のコンタクトガラスは、「原稿読取位置に前記原稿をガイドする」もの、すなわち、ガラスの表面により原稿の走行を規制するものであるのに対し、刊行物１発明のコンタクトガラスは、（キ）で後述するように可動なものであって、図１をみると、天板９ａと段差をもって設けられているようにみえるから、原稿読取位置に前記原稿をガイドするものであるか否かは明らかではない点で両者は相違する。
　
（オ）「前記原稿読取位置とは異なる位置に設置される色基準部材」
　刊行物１発明の白基準板は、シェーディング補正のための基準を提供する部材であるから、本願補正発明１の「色基準部材」に相当する。
　刊行物１発明において、この白基準板はコンタクトガラス上に固定され、コンタクトガラスとともに移動するものであるから、原稿読取位置とは異なる位置に設置されるとはいえない。
　したがって、本願補正発明１と刊行物１発明とは、「色基準部材」を備える点で一致するが、色基準部材が、本願補正発明１では、「前記原稿読取位置とは異なる位置に設置される」のに対し、刊行物１発明では、そうとはいえない点で両者は相違する。
　
（カ）「前記筐体の内部で前記読取センサを移動させて前記センサ対向位置を前記原稿読取位置と前記色基準部材上のシェーディング補正データ取得位置との間で副走査方向に往復移動させる移動機構と、前記移動機構を駆動させる駆動手段」
　
　本願補正発明１の駆動手段は、前記筐体の内部で前記読取センサを移動させて、原稿の読み取りと色基準部材の読み取りとを切り換えるものであり、その移動は副走査方向の往復移動である。
　刊行物１発明は、筐体内部の可動機構により白基準板（およびそれと一体のコンタクトガラス）を移動させて、原稿の読み取りと白基準板の読み取りとを切り換えるものであり、その移動は本願補正発明１と同様の副走査方向の往復移動であるといえる。
　したがって、本願補正発明１と刊行物１発明とは、「前記筐体の内部で前記センサ対向位置に前記原稿読取位置または前記色基準部材上のシェーディング補正データ取得位置が来るように副走査方向に往復移動させる移動機構」を備えるといえる点で共通しているといえる。
　しかしながら、両者は移動させる対象物が異なっている。すなわち、前記筐体の内部で前記センサ対向位置に前記原稿読取位置または前記色基準部材上のシェーディング補正データ取得位置が来るように副走査方向に往復移動させる移動機構が、本願補正発明１では、「読取センサを移動させて前記センサ対向位置を前記原稿読取位置と前記色基準部材上のシェーディング補正データ取得位置との間で副走査方向に往復移動させる」のに対し、刊行物１発明では、白基準板が固定されたコンタクトガラスを移動させる点で両者は相違する。
　
（キ）「前記筐体の前記開口部の位置には、前記コンタクトガラスが固定され、」
　本願補正発明１でも刊行物１発明でも、前記筐体の前記開口部の位置には、前記コンタクトガラスが取り付けられている点で両者は共通しているが、刊行物１発明では、コンタクトガラスはスライドレールに沿って移動するものであるから、筐体の開口部の位置のコンタクトガラスが、本願補正発明１では、「固定され」ているのに対し、刊行物１発明では可動である点で両者は相違する。
　
（ク）「前記筐体の内部には、前記読取センサ、前記移動機構及び前記駆動手段がそれぞれ設置され、」
　刊行物１発明では、筐体内部には、光源と結像レンズと光電変換素子、すなわち、「読取センサ」が配置されており、また、白基準板の電気的な可動機構が設けられている。この電気的な可動機構は、外部回路からの信号入力のみで制御可能なものであるから、電気信号を動力に変換する手段（本願補正発明１の「駆動手段」に相当）とその動力を白基準板に伝える機構（本願補正発明１の「移動機構」に相当）からなるのは当業者には明らかである。
　したがって、本願補正発明１と刊行物１発明とは、「前記筐体の内部には、前記読取センサ、前記移動機構及び前記駆動手段がそれぞれ設置され」る点で一致する。
　
（ケ）「前記移動機構は、前記読取センサを副走査方向に直進移動させるための直進カムに対して前記駆動手段の動力を伝達する手段である」
　本願補正発明１では、「前記移動機構は、前記読取センサを副走査方向に直進移動させるための直進カムに対して前記駆動手段の動力を伝達する手段である」のに対し、刊行物１発明では、移動機構に相当する構成を含む可動機構について具体的には明らかではない点で両者は相違する。
　
（コ）一致点、相違点
　以上をまとめると、本願補正発明１と刊行物１発明の一致点及び相違点は次のとおりである。なお、上記（エ）及び（キ）で述べた相違点は何れもコンタクトカラスに関するものであるから、まとめて相違点４とした。
　
［一致点］
　開口部を有する筐体と、センサ対向位置にある画像を主走査方向に読取るための照明手段及びレンズを含む読取センサと、原稿読取位置に前記原稿をガイドするコンタクトガラスと、色基準部材と、前記筐体の内部で前記センサ対向位置に前記原稿読取位置または前記色基準部材上のシェーディング補正データ取得位置が来るように副走査方向に往復移動させる移動機構と、前記移動機構を駆動させる駆動手段とを備え、
　前記筐体の前記開口部の位置には、前記コンタクトガラスが取り付けられ、
　前記筐体の内部には、前記読取センサ、前記移動機構及び前記駆動手段がそれぞれ設置され、
　る画像読取ユニット。
　
［相違点］
（相違点１）
　本願補正発明１は、「原稿に形成された画像を読取る画像読取装置において、搬送される原稿の表面画像を読取る表面画像読取ユニットと、搬送される原稿の裏面画像を読取る裏面画像読取ユニットとが装置本体に対して原稿の搬送方向に移動しないように固定され、前記表面画像読取ユニット及び前記裏面画像読取ユニットは、・・・である画像読取装置」であるのに対し、刊行物１発明は、イメージセンサ（本願補正発明１でいう「画像読取ユニット」）のみの発明である点。
　
（相違点２）
　色基準部材が、本願補正発明１では、「前記原稿読取位置とは異なる位置に設置される」のに対し、刊行物１発明では、そうとはいえない点。
　
（相違点３）
　前記筐体の内部で前記センサ対向位置に前記原稿読取位置または前記色基準部材上のシェーディング補正データ取得位置が来るように副走査方向に往復移動させる移動機構が、本願補正発明１では、「読取センサを移動させて前記センサ対向位置を前記原稿読取位置と前記色基準部材上のシェーディング補正データ取得位置との間で副走査方向に往復移動させる」のに対し、刊行物１発明では、白基準板が固定されたコンタクトガラスを移動させる点。
　
（相違点４）
　筐体の開口部の位置のコンタクトガラスが、本願補正発明１では、「原稿読取位置に前記原稿をガイドする」ものであって、「固定され」ているのに対し、刊行物１発明では、原稿読取位置に前記原稿をガイドするものであるか否かは明らかではなく、可動である点。
　
（相違点５）
　本願補正発明１では、「前記移動機構は、前記読取センサを副走査方向に直進移動させるための直進カムに対して前記駆動手段の動力を伝達する手段である」のに対し、刊行物１発明では、移動機構に相当する構成を含む可動機構について具体的には明らかではない点。
　
エ．当審の判断
　これらの相違点について検討する。
　
（ア）相違点１について
　刊行物１発明のイメージセンサ（本願補正発明１でいう「画像読取ユニット」）は、画像読取装置に設けられて原稿を読み取るためのものである。一方、搬送される原稿の両面を読み取るために、イメージセンサを表面画像の読み取り用と裏面画像の読み取り用の２つ装置本体に固定して設けた画像読取装置は周知のものである（例えば、特開平１０−１９０９３８号公報、特開２００５−３２８２１６号公報、特開２００２−２０２５６７号公報を参照）。
　したがって、画像読取装置に設けられて原稿を読み取るための刊行物１発明のイメージセンサを、上記周知の両面を読み取る画像読取装置に設けることは当業者が容易に想到し得ることである。
　
（イ）相違点２、相違点３、相違点４について
　これらの相違点は、換言すると、要するに、センサ対向位置（画像読取位置）に原稿または色基準部材が来るように副走査方向に往復移動させる構成として、本願補正発明１では、色基準部材を固定して読取センサを移動させるのに対し、刊行物１発明では、読取センサを固定して色基準部材を移動させている点といえる。
　つまり、読取センサにより基準部材を読み取ってシェーディング補正を行う場合と、読取センサにより原稿を読み取る場合との切り替えを、読取センサと基準部材との相対位置を変化させるように移動させている点では両者は共通していて、読取センサまたは基準部材のどちらを移動させるかが異なっていると考えられる。
　上記した刊行物２には、光学読み取りユニット（本願補正発明１の「読取センサ」に相当）により白基準部材を読み取ってシェーディング補正を行う場合と、読取センサにより原稿を読み取る場合との切り替えを、白基準部材を固定して読取センサを移動させることにより行う構成が記載されている。
　刊行物１発明も刊行物２に記載されたものも、読取センサにより基準部材を読み取ってシェーディング補正を行う場合と、読取センサにより原稿を読み取る場合との切り替えを行うための構成である点で共通しているものであるから、刊行物１発明において、刊行物２に記載されたもののように、基準部材を固定して読取センサを移動させる構成とすること、すなわち、「読取センサを移動させて前記センサ対向位置を前記原稿読取位置と前記色基準部材上のシェーディング補正データ取得位置との間で副走査方向に往復移動させ」、色基準部材は、「前記原稿読取位置とは異なる位置に設置され」、筐体の開口部の位置のコンタクトガラスは、「固定され」る構成とすることは当業者が容易に想到し得ることである。また、そのようにコンタクトガラスを固定する構成とした場合に、コンタクトガラスを、通常よく用いられているように（例えば、刊行物１の従来例である【図５】や刊行物２の【図５】、【図６】を参照）ガラスの表面により原稿の走行を規制するようにすること、すなわち、「原稿読取位置に前記原稿をガイドする」ようにすることは自然なことであり、格別の困難はない。
　
（ウ）相違点５について
　例えば、ソレノイドなどの駆動手段の動力を伝達する手段として直進カムは周知慣用の手段であり、必要に応じて適宜採用し得る手段である。
　上記したように、刊行物１発明に刊行物２に記載された技術を適用した場合にも、読取センサの移動機構として、直進カムを用いることは当業者が必要に応じて適宜採用し得る手段である。
　したがって、刊行物１発明において、刊行物２に記載の技術を適用し、その際に、「前記移動機構は、前記読取センサを副走査方向に直進移動させるための直進カムに対して前記駆動手段の動力を伝達する手段である」ようにすることは当業者が容易に想到し得ることである。
　
オ．独立特許要件のまとめ
　以上の相違点１ないし５を併せて考察しても格別のものはなく、その効果についても予測し得る範囲内のものである。
　したがって、本願補正発明１は、刊行物１、２に記載された発明及び周知技術に基づいて当業者が容易に発明をすることができたものである。
　よって、本願補正発明１を含んでいる本願補正発明も刊行物１、２に記載された発明及び周知技術に基づいて当業者が容易に発明をすることができたものであり、独立して特許を受けることができないものである。
　
３．補正の適否のまとめ
　よって、この補正は、平成１８年改正前特許法第１７条の２第５項の規定に違反してなされたものであるから、同法第１５９条第１項において読み替えて準用する同法第５３条第１項の規定により却下すべきものである。
　
第３．本願発明について
１．本願発明
　平成２５年７月１６日付けの手続補正は上記のとおり却下されたので、本願の請求項１−９に係る発明は、平成２５年４月２４日付けの手続補正で補正された特許請求の範囲の請求項１−９に記載された事項により特定されるものであるところ、その請求項１に係る発明（以下、「本願発明」という）は、次のとおりのものである。
　
「原稿に形成された画像を読取る画像読取装置において、
　搬送される原稿の表面画像を読取る表面画像読取ユニットと、搬送される原稿の裏面画像を読取る裏面画像読取ユニットとが装置本体に対して原稿の搬送方向に移動しないように固定され、
　前記表面画像読取ユニット及び前記裏面画像読取ユニットは、
　開口部を有する筐体と、センサ対向位置にある画像を主走査方向に読取るための照明手段及びレンズを含む読取センサと、原稿読取位置に前記原稿をガイドするコンタクトガラスと、前記原稿読取位置とは異なる位置に設置される色基準部材と、前記筐体の内部で前記読取センサを移動させて前記センサ対向位置を前記原稿読取位置と前記色基準部材上のシェーディング補正データ取得位置との間で副走査方向に往復移動させる移動機構と、前記移動機構を駆動させる駆動手段とを備え、
　前記筐体の前記開口部の位置には、前記コンタクトガラスが固定され、
　前記筐体の内部には、前記読取センサ、前記移動機構及び前記駆動手段がそれぞれ設置されていることを特徴とする画像読取装置。」
  
２．刊行物の記載事項
　刊行物１、２に記載された事項及び刊行物１発明は、上記「第２．２．（２）イ．刊行物の記載事項」に記載したとおりである。
　
３．対比・判断
　本願発明は、上記「第２．２．（２）独立特許要件」で検討した本願補正発明１の発明特定事項から「前記移動機構は、前記読取センサを副走査方向に直進移動させるための直進カムに対して前記駆動手段の動力を伝達する手段である」との発明特定事項を省いたものであり、この発明特定事項は、本願補正発明１と刊行物１発明との相違点５に係るものである。
　したがって、本願発明と刊行物１発明の一致点、相違点は、上記と同様の対比により、「第２．２．（２）ウ．（コ）」の一致点、相違点１ないし４（相違点５を省いたもの）と同じものである。
　よって、相違点に対する判断も、上記「第２．２．（２）エ．」の相違点１ないし４に対する判断と同様であり、本願発明は、刊行物１、２に記載された発明及び周知技術に基づいて当業者が容易に発明をすることができたものである。
　
第４．むすび
　以上のとおりであるから、本願の請求項１に係る発明は、特許法第２９条第２項の規定により特許を受けることができない。
　したがって、本願は、その余の請求項について論及するまでもなく、拒絶すべきものである。
　よって、結論のとおり審決する。